(57)【要約】【課題】  元気に行動されている方や、働いていらっしゃる方々に違和感無く使用してもらえ、かつ、排尿行為がスムーズに行える、男性用使い捨て尿受けカップを提供する。【解決手段】  下着の前開口部に合わせて装着させることにより、下着と一体化させる。陰茎のみを収納することにより、排尿時に開口部よりの出し入れがスムーズに行える。よって、人目を気にすることなく小用を足すことのできる、男性用使い捨て尿受けカップである。【選択図】  図５
2010148662.tif 000002
【特許請求の範囲】
【請求項１】
トランクスに装着しやすく、取り替えやすい尿受けカップ。
【請求項２】
ブリーフに装着しやすく、取り替えやすい尿受けカップ。
【請求項３】
失禁量の多い人に対応する為の、マチのある尿受けカップ。
【請求項４】
前開きの無い下着に対応する為、上からの出し入れをしやすくした尿受けカップ。
【発明の詳細な説明】
【技術分野】
【０００１】
本発明は、下着に尿受けカップを貼り付け、陰茎のみを収納する使い捨ての男性用尿漏れ防止具である。
【背景技術】
【０００２】
従来から、尿漏れ防止の為の介護用品や文献は見られる。この例として特許文献１や特許文献２に開示されているものがある。
【特許文献１】特開平９―１９４５２号公報
【特許文献２】特開平７−２５０８５７号公報
【発明の開示】
【発明が解決しようとする課題】
【０００３】
従来から使用されているものは、元気に行動されている方や、働いていらっしゃる方には使いにくく、違和感がある。また出し入れに手間取る。本発明は、これらの不便を解決するものである。
【課題を解決するための手段】
【０００４】
この課題を解決するための請求項１の発明は、尿受けカップを前開口部の打ち合わせのそれぞれに接着させ、下着と一体化させる。それにより出し入れがスムーズとなり、人の目を気にすることなく用が足せる。
【０００５】
請求項２の発明は、ブリーフの前開口部の打ち合わせが深いため、カップが大きくなりすぎないように、接着面と折り方に工夫が施されている。
【０００６】
請求項３の発明は、吸収体の量を増すために、マチを設けることによってゆとりと安心感をもたせた。
【０００７】
請求項４の発明では、前開きの無い下着に対し上からの出し入れがしやすいように、入り口の丸みとくぼみを大きくする。  
【発明の効果】
【０００８】
本発明は、公衆のトイレなどでも人の目を気にすることなく小用を足すことができ、排尿時に陰茎の出し入れがスムーズにできる。又、取替えも簡単にできる。
【発明を実施するための最良の形態】
【０００９】
（イ）下着を着けたときの違和感をなくすため、陰茎と陰嚢の間になだらかなくぼみをつける。（図１−７参照）
（ロ）下着の前開口部をそのまま使用するために、上部を２つに分ける。（図５参照）
（ハ）２つに分けられた、それぞれに粘着剤処理を施し、下着と一体化させる。
（ニ）前開口部の中ほどから下方向に（ハ）を付けることで下着がはきやすくなる。（図５）
（ホ）尿漏れカップの前開口部から下の部分をカップ状にすることで、漏れを防ぐ。
（へ）液透過性のシート、吸収体、液不透過性のシートなどにより形成されるが、体に触れる部分には柔らかなシートをつけ複数層にする。
（ト）下部の両端に丸みをつけ、違和感を少なくする。
（チ）使用前の粘着剤に付けられる剥離紙を、それぞれにＶ字につけることで失敗無く装着できる。
（リ）マチを付けることで、吸収体の量を増やせる。（図６参照）
（ヌ）上部を弓状にすることで、よりはきやすくなる。（図６参照）
【実施例１】
【００１０】
以下、本発明の実施例について説明する。
【００１１】
請求項１の発明では、尿受けカップの、２つに分かれた打ち合わせ部分の（図３−点１ａ）を、下着前開口部の下の縫い目より数ミリ上（図４−点１ｂ）に合わせる。
【００１２】
尿受けカップの粘着部（図３−面２ａ）と、下着の（図４−面２ｂ）を合わせて剥離紙を引き抜き、下着に接着させる。
【００１３】
尿受けカップの粘着部（図２−面３ａ）と、下着の（図４−面３ｂ）を合わせて剥離紙を引き抜き、下着に接着させる。
【００１４】
請求項２の発明では、尿受けカップの（図７−点４ａ）を、下着の開口部下の縫い合わせ部分より数ｃｍ上の（図１０−点４ｂ）に合わせる。
【００１５】
尿受けカップの目安の中心線（図８−線８）を、下着の中心に合わせ（図９−面５ａ）と下着の（図１０−面５ｂ）を合わせて剥離紙を引き抜き、下着に接着させる。
【００１６】
尿受けカップの粘着部（図８−面６ａ）と、下着の（図１０−面６ｂ）を合わせて剥離紙を引き抜き、下着に接着させる。
【００１７】
請求項４にあたる（図１２）は、下着の前面中ほどに接着させる。
【００１８】
本発明では、尿受けカップに陰茎のみを挿入する。
【図面の簡単な説明】
【００１９】
【図１】本発明、請求項１の正面図である。
【図２】同、請求項１の背面図である。粘着部（３ａ）を示しています。
【図３】図２から（３ａ）をめくった図で、粘着部（２ａ）を示しています。
【図４】下着を内側から見た図で、装着部位を示しています。
【図５】本発明を、図４に装着させた図である。
【図６】本発明、請求項３の斜視図である。
【図７】本発明、請求項２の正面図である。
【図８】同、請求項２の背面図である。粘着部（６ａ）を示しています。
【図９】図８から（６ａ）をめくった図で、粘着部（５ａ）を示しています。
【図１０】下着を内側から見た図で、装着部位を示しています。
【図１１】本発明を、図１０に装着させた図である。
【図１２】本発明、請求項４の正面図である。
【符号の説明】
【００２０】
１ａ  目印となる点
２ａ  粘着財が施されている場所
３ａ  粘着財が施されている場所
４ａ  目印となる点
５ａ  粘着財が施されている場所
６ａ  粘着財が施されている場所
７    凹部のカーブを示す
８    中心線
１ｂ  目印となる点
２ｂ  粘着部を装着させる場所
３ｂ  粘着部を装着させる場所
４ｂ  目印となる点
５ｂ  粘着部を装着させる場所
６ｂ  粘着部を装着させる場所
【図１】
2010148662.tif 000003
【図２】
2010148662.tif 000004
【図３】
2010148662.tif 000005
【図４】
2010148662.tif 000006
【図５】
2010148662.tif 000007
【図６】
2010148662.tif 000008
【図７】
2010148662.tif 000009
【図８】
2010148662.tif 000010
【図９】
2010148662.tif 000011
【図１０】
2010148662.tif 000012
【図１１】
2010148662.tif 000013
【図１２】
2010148662.tif 000014
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
重なり合った下着の前開口部打ち合わせのそれぞれ（２b,３b）と一体化させる
ため、二枚に分かれた装着部分（２a,３a）に接着させるための粘着剤処理を施
し、トランクス等に装着しやすく、取り替えやすい尿受けカップ。
【請求項２】
重なり合った下着の前開口部打ち合わせのそれぞれ（５b,６b）と一体化させるた
め、二枚に分かれた装着部分（５a,６a）に接着させるための粘着剤処理を施し、
ブリーフに装着しやすく、取り替えやすい尿受けカップ。  
【手続補正２】
【補正対象書類名】明細書
【補正対象項目名】０００１
【補正方法】変更
【補正の内容】
【０００１】
本発明は、下着の前開口部と一体化させるように尿受けカップを貼り付け、陰茎の
みを収納する使い捨ての男性用尿漏れ防止具である。
【手続補正３】
【補正対象書類名】明細書
【補正対象項目名】０００５
【補正方法】変更
【補正の内容】
【０００５】
請求項２の発明は、ブリーフの前開口部の打ち合わせが深いため、カップが大きく
なりすぎないように、下着の前面（６b）に張り合わせる側の尿受けカップの上部
（４a）より上を、横方向と上方向に大きくし、接着面も広く設けしっかりと下着に
固定させることによって、陰茎の誘導が容易に行われる構造とする。
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
トランクスの重なり合った下着の前開口部打ち合わせ下部分Ｖ溝部のそれぞれ（２b・３b）と一体化させ、下着の中央に装着するために、２つに分けられた尿受けカップの上部が打ち合わせ状に重ねられ、重ねられた内側装着部（２a）と、外側には下着のV字溝部に差し入れられるように旗状に形成された装着部分（３a）を有することを特徴とし、尿受けカップの中ほどにある打ち合わせ開始部の目印となる点（１ａ）を下着に合わせることにより、粘着剤処理を施した二箇所の装着部を下着の打ち合わせ下部分のＶ溝部装着場所に合わせることが容易に行へる構造の、装着しやすく取り替えやすい尿受けカップ。
【請求項２】
重なり合った下着の前開口部打ち合わせ下部分のそれぞれ（５b・６b）と一体化させるため、内側装着部（５a）と、外側には旗状に形成された装着部分（６a）を、請求項１の尿受けカップより、上方向と横方向に大きく形成し陰茎の誘導場所を有することを特徴とした、ブリーフに装着しやすく取り替えやすい尿受けカップ。
【手続補正２】
【補正対象書類名】明細書
【補正対象項目名】全文
【補正方法】変更
【補正の内容】
【発明の詳細な説明】
【技術分野】
【０００１】
本発明は、下着の前開口部と一体化させるように尿受けカップを貼り付け、陰茎のみを収納する使い捨ての男性用尿漏れ防止具である。
【背景技術】
【０００２】
従来から、尿漏れ防止の為の介護用品や文献は見られる。この例として特許文献1や特許文献2に開示されているものがある。
【特許文献１】特開平９−１９４５２号公報
【特許文献２】特開平７−２５０８５７号公報
【発明の開示】
【発明が解決しようとする課題】
【０００３】
従来から使用されているものは、元気に行動されている方や、働いていらっしゃる方には使いにくく、違和感がある。また出し入れに手間取る。本発明は、これらの不便を解決するものである。
【課題を解決するための手段】
【０００４】
この課題を解決するための請求項１の発明は、尿受けカップ上部の打ち合わせ状の装着部位を、下着の前開口部打ち合わせ下部分の内側（図４−２b）に（図３−２a）を、外側（図４−３b）に（図２−３a）を合わせてそれぞれに接着させ、下着と一体化させることによって、小用時に尿受けカップ内への陰茎の誘導がスムーズに行へる形状であり、尿受けカップを、液透過性、吸収体、液不透過性などの複数層のシートで構成することによって、尿漏れに対応でき、尿受けカップの開口部（図２−点１ａ）から下の部分をカップ状にすることで漏れを防ぐ。又、剥離紙をＶ字状に付けることにより、より装着しやすく取り替えやすい尿受けカップに成ります。
【０００５】
請求項２の発明は、ブリーフの前開口部の打ち合わせが深いため、カップが大きくなりすぎないように、下着の前面（図１０−６b）に張り合わせる側の尿受けカップの上部（図８−点４a）より上を、横方向と上方向に大きくし、接着面も広く設けしっかりと下着に固定させることによって、陰茎の誘導が容易に行われる構造とする。
【０００６】
吸収体の量を増やすには、マチを設けることも出来る。
【発明の効果】
【０００７】
本発明は、下着の前開口部下部と一体化させて下着の中央に装着出来るため、公衆のトイレなどでも人の目を気にすることなく小用を足すことが出来、排尿時に陰茎の出し入れがスムーズに行える。又、尿受けカップの目印となる点を下着の装着位置に合わせるだけで、それぞれの接着部位が装着場所にセットされる構造になっており、セット後に剥離紙を抜き取る事により尿受けカップを装着する事が出来るので、取り替えも簡単に行える。  
【発明を実施するための最良の形態】
【０００８】
（イ）  下着を着けたときの違和感を無くすため、陰茎と陰嚢の間になだらかなくぼみを付ける。（図１−７参照）
（ロ）  下着の前開口部をそのまま使用するために、上部を２つに分ける。（図５参照）
（ハ）  ２つに分けられた、それぞれに粘着剤処理を施し、下着と一体化させる。
（ニ）  前開口部の中ほどから下方向に（ハ）を付けることで下着がはきやすくなる。（図５）
（ホ）  尿漏れカップの上部打ち合わせ部分より下の部分をカップ状にすることで、漏れを防ぐ。
（ヘ）  液透過性のシート、吸収体、液不透過性のシートなどにより形成されるが、体に触れる部分には柔らかなシートをつけ複数層にする。
（ト）  下部の両端に丸みをつけ、違和感を少なくする。
（チ）  使用前の粘着剤に付けられる剥離紙を、それぞれにV字につけることで失敗無く装着できる。
（リ）  マチを付けることで、吸収体の量を増やせる。（図６参照）
（ヌ）  上部を弓状にすることで、よりはきやすくなる。（図６参照）
【実施例１】
【０００９】
以下、本発明の実施例について説明する。
【００１０】
請求項１の発明では、尿受けカップの、２つに分けられた打ち合わせ部分の（図３−点１a）を、下着前開口部の下の縫い目より数ミリ上（図４−点１b）に合わせる。
【００１１】
尿受けカップの粘着部（図３−面２a）と、下着の（図４−面２b）を合わせて剥離紙を引き抜き、下着に接着させる。
【００１２】
尿受けカップの粘着部（図２−面３a）と、下着の（図４−面３b）を合わせて剥離紙を引き抜き、下着に接着させる。
【００１３】
請求項２の発明では、尿受けカップの（図７−点４a）を、下着の開口部下の縫い合わせ部分より数ｃｍ上の（図１０−点４b）に合わせる。
【００１４】
尿受けカップの目安の中心線（図８−線８）を、下着の中心に合わせ（図９−面５a）と下着の（図１０−面５b）を合わせて剥離紙を引き抜き、下着に接着させる。
【００１５】
尿受けカップの粘着部（図８−面６a）と、下着の（図１０−面６b）を合わせて剥離紙を引き抜き、下着に接着させる。
【図面の簡単な説明】
【００１６】
【図１】本発明、請求項１の正面図である。
【図２】同、請求項１の背面図である。粘着部（３a）を示しています。
【図３】図２から（３a）をめくった図で、粘着部（２a）を示しています。
【図４】下着を内側から見た図で、装着部位を示しています。
【図５】本発明を、図４に装着させた図である。
【図６】請求項１にマチを設けた場合いの斜視図である。
【図７】本発明、請求項２の正面図である。
【図８】同、請求項２の背面図である。粘着部（６a）を示しています。
【図９】図８から（６a）をめくった図で、粘着部（５a）を示しています。
【図１０】下着を内側から見た図で、装着部位を示しています。
【図１１】本発明を、図１０に装着させた図である。
【符号の説明】
【００１７】
１a   目印となる点
２a   粘着剤が施されている場所
３a   粘着剤が施されている場所
４a   目印となる点
５a   粘着剤が施されている場所
６a   粘着剤が施されている場所
７    凹部のカーブを示す
８    中心線
１b   目印となる点
２b   粘着部を装着させる場所
３b   粘着部を装着させる場所
４b   目印となる点
５b   粘着部を装着させる場所
６b   粘着部を装着させる場所
【手続補正３】
【補正対象書類名】図面
【補正対象項目名】図１２
【補正方法】削除
【補正の内容】